(57)【特許請求の範囲】
【請求項１】
低温庫の開口周囲に設けられた外枠部材と、この外枠部材に嵌め込まれた引き戸式の扉とから成る扉装置において、前記外枠部材は断面略コ字状の内壁とこの内壁の外側に断面略コ字状の外壁とで内部に前記内壁を覆うように断面コ字状の中空形状となる空気層を形成したことを特徴とする低温庫の扉装置。
【請求項２】
外枠部材はそれぞれ別体の上辺部材、下辺部材、左辺部材及び右辺部材を枠状に組み立てて成り、前記各辺部材は合成樹脂の押出成形により中空状に成形されていることを特徴とする請求項１の低温庫の扉装置。
【発明の詳細な説明】
【０００１】
【発明の属する技術分野】
本発明は、庫内に収納した食品などを冷却保存する業務用冷蔵庫などの低温庫の扉装置に関するものである。
【０００２】
【従来の技術】
従来より業務用冷蔵庫などの低温庫の開口部には、例えば特開平５−９９５６０号公報（Ｆ２５Ｄ２３／０２）に示される如き断熱性の扉が設けられ、外枠部材に左右方向移動自在に嵌め込まれて引き戸式扉を構成している。
この場合、扉が嵌め込まれる外枠部材は、低温とされる庫内と外気との接点となるため、外枠部材に触れた外気中の湿気が冷却されてそこに結露が発生する。係る結露は庫内に食品を出し入れする作業者などの衣服を濡らすと共に、結露に塵埃が付着してそこに細菌など発生し、不衛生となる不具合を生ずる。
【０００３】
そこで、従来一般的には外枠部材の内側に電気ヒータを設け、この電気ヒータにより外枠部材表面を所定の温度に加熱し、これにより外枠部材への結露発生を解消していた。
【０００４】
【発明が解決しようとする課題】
しかしながら、外枠部材の結露を防止するため外枠部材内に電気ヒータを取り付けると、電気ヒータ及び電気ヒータの配線が断線する等の故障が発生する危険性が生ずると共に、外枠部材内に電気ヒータを取り付けるため、構造が複雑化して組立が困難となり、生産コストが高騰してしまう。そして、係る電気ヒータへの通電により、消費電力が増大してしまう問題もあった。
【０００５】
本発明は、係る従来の技術的課題を解決するために成されたものであり、簡単な構造で外枠部材の結露を防止し、且つ、省エネルギーにも寄与できる低温庫の扉装置を提供することを目的とする。
【０００６】
【課題を解決するための手段】
請求項１の発明の低温庫の扉装置は、低温庫の開口周囲に設けられた外枠部材と、この外枠部材に嵌め込まれた引き戸式の扉とから成るものであって、外枠部材を断面略コ字状の内壁とこの内壁の外側に断面略コ字状の外壁とで内部に前記内壁を覆うように断面コ字状の中空形状となる空気層を形成したものである。
また、請求項２の発明の低温庫の扉装置は、上記において外枠部材を、それぞれ別体の上辺部材、下辺部材、左辺部材及び右辺部材を枠状に組み立てて構成し、各辺部材を合成樹脂の押出成形により中空状に成形したものである。
【０００７】
【発明の実施の形態】
以下、図面に基づき本発明の実施形態を詳述する。図１は本発明の扉装置１０を備えた低温庫の実施例としての業務用冷蔵庫１１の正面図、図２は業務用冷蔵庫１１の右側面図、図３は図１のＡ−Ａ線断面図、図４は図３の円Ｃ部分の拡大図、図５は図３の円Ｄ部分の拡大図、図６は図１のＢ−Ｂ線断面図、図７は図６の円Ｅ部分の拡大図、図８は図６の円Ｆ部分の拡大図をそれぞれ示している。
【０００８】
本発明の扉装置１０は、断面コ字状を呈し、全体としては矩形枠状の外枠部材１８と、この外枠部材１８の上下縁に設けられた上辺部材１９、下辺部材２０と、両側縁に設けられた右辺部材２２、左辺部材２１及び引き戸式の二枚の扉１６、１７とから構成されており、例えばホテルやレストランなどの厨房に設置される業務用冷蔵庫１１の開口部に取り付けられる。
【０００９】
業務用冷蔵庫１１の本体１２は矩形状の断熱箱体から構成されており、本体１２の前面には開口１４が形成され、この開口１４は後述する如く扉１６、１７にて開閉自在に閉塞されると共に、本体１２の内側が庫内１５とされる。この庫内１５は図示しない冷却装置によって所定の冷蔵若しくは冷凍温度に冷却されている。
【００１０】
外枠部材１８は係る本体１２の開口１４周囲に前方から取り付けられ、上辺部材１９は開口１４上縁にて左右に延在して設けられると共に、下辺部材２０は開口１４下縁にて左右に延在して設けられている。また、右辺部材２２は開口１４右側縁にて上下に延在して設けられると共に、左辺部材２１は開口１４左側縁にて上下に延在して設けられており、これら各辺部材１９、２０、２１、２２は例えば押出成形された合成樹脂で構成されている。
【００１１】
上辺部材１９は、図４に示す如く断面略コ字状の内壁１９Ｂと、この内壁１９Ｂと所定の間隔を存して外側に位置する断面略コ字状の外壁１９Ｃとから構成されている。そして、この内壁１９Ｂと外壁１９Ｃのコの字の両端部は相互に連続しており、その間を中空形状として空気層１９Ａを形成している。即ち、上辺部材１９は、合成樹脂を断面略コ字状の中空状に押出成形することにより、内壁１９Ｂと外壁１９Ｃ間に空気層１９Ａを形成している。
【００１２】
また、下辺部材２０も、図５に示す如く断面略コ字状の内壁２０Ｂと、この内壁２０Ｂと所定の間隔を存して外側に位置する断面略コ字状の外壁２０Ｃとから構成されている。そして、この内壁２０Ｂと外壁２０Ｃのコの字の両端部は相互に連続しており、その間を中空形状として空気層２０Ａを形成している。即ち、下辺部材２０は上辺部材１９同様、合成樹脂を断面略コ字状の中空状に押出成形することにより、内壁２０Ｂと外壁２０Ｃ間に断面コ字状の空気層２０Ａを形成している。
【００１３】
また、右辺部材２２も、図７に示す如く断面略コ字状の内壁２２Ｂと、この内壁２２Ｂと所定の間隔を存して外側に位置する断面略コ字状の外壁２２Ｃとから構成されている。そして、この内壁２２Ｂと外壁２２Ｃのコの字の両端部は相互に連続しており、その間を中空形状として空気層２２Ａを形成している。即ち、右辺部材２２も上辺部材１９同様、合成樹脂を断面略コ字状の中空状に押出成形することにより、内壁２２Ｂと外壁２２Ｃ間に断面コ字状の空気層２２Ａを形成している。
【００１４】
また、左辺部材２１も、図８に示す如く断面略コ字状の内壁２１Ｂと、この内壁２１Ｂと所定の間隔を存して外側に位置する断面略コ字状の外壁２１Ｃとから構成されている。そして、この内壁２１Ｂと外壁２１Ｃのコの字の両端部は相互に連続しており、その間を中空形状として空気層２１Ａを形成している。即ち、左辺部材２１も上辺部材１９同様、合成樹脂を断面略コ字状の中空状に押出成形することにより、内壁２１Ｂと外壁２１Ｃ間に断面コ字状の空気層２１Ａを形成している。
【００１５】
この場合、上辺部材１９の内壁１９Ｂと下辺部材２０の内壁２０Ｂ、及び、右辺部材２２の内壁２２Ｂと左辺部材２１の内壁２１Ｂが開口１４の周囲においてそれぞれ対向している。そして、隣接する各辺部材１９、２０、２１、２２のそれぞれの端部を接続して枠状とすることにより、外枠部材１８は完成されている。
【００１６】
一方、扉１６、１７はそれぞれ長方形状を呈しており、二重ガラス、或いは、断熱板にて構成され、下端両側には図示しないローラなどが取り付けられている。そして、扉１６は前側、扉１７は後側とされて外枠部材１８の各辺部材１９、２０、２１、２２の内壁１９Ｂ、２０Ｂ、２１Ｂ、２２Ｂ内に左右方向移動自在に嵌め込まれ、引き違い式に配置されて本体１２の開口１４を開閉自在に閉塞する。
【００１７】
次ぎに、係る扉装置１０を組み立てる際には、各辺部材１９、２０、２１、２２の内例えば三本を本体１２に取り付けた後、両扉１６、１７を前述の如く嵌め込んで、残りの一本を取り付け、枠状とする。勿論各辺部材１９、２０、２１、２２の内三箇所でなく、下辺部材２０のみ、或いは、上下辺部材１９、２０のみ取り付けた状態で、扉１６、１７を嵌め込み、残りの辺部材を取り付けても差し支えない。
【００１８】
また、各辺部材１９、２０、２１、２２を開口１４に取り付ける以前に、各扉１６、１７を嵌め込んだ外枠部材１８を完成し、扉装置１０をユニット化して置いてから本体１２の開口１４周囲に取り付けても差し支えない。
これにより、各辺部材１９、２０、２１、２２に設けた空気層１９Ａ、２０Ａ、２１Ａ、２２Ａは連通され、外枠部材１８内には密閉された連続する空気層が形成される。
【００１９】
このように、合成樹脂の押出成形により中空状に成形した各辺部材１９、２０、２１、２２で外枠部材１８を構成しているので、外枠部材１８内の空気層により、その断熱性を向上させることができる。従って、格別なヒータなどを設けること無く、外枠部材１８への結露を防止若しくは抑制することが可能となる。
また、外枠部材１８を合成樹脂の押出成形により形成しているだけなので、構造の簡素化を図れると共に、電気的な故障の発生は皆無となり、メンテナンス性と生産性も大幅に向上させることが可能となる。
。
【００２０】
そして、各上辺部材１９、下辺部材２０、右辺部材２２及び左辺部材２１を組み立てて枠状とすることにより、外枠部材１８を構成しているので、各辺部材１９、２０、２１、２２が別体の状態で扉１６、１７を外枠部材１８に嵌め込むことが可能となり、外枠部材１８へ容易に扉１６、１７を組み込むことが可能となる。
【００２１】
尚、実施例では業務用冷蔵庫に本発明を適用したが、それに限らず、低温ショーケースや、プレハブ冷蔵庫などにも本発明は有効である。
【００２２】
【発明の効果】
以上詳述した如く本発明によれば、低温庫の開口周囲に設けられた外枠部材と、この外枠部材に嵌め込まれた引き戸式の扉とから成るものであって、外枠部材を断面略コ字状の内壁とこの内壁の外側に断面略コ字状の外壁とで内部に前記内壁を覆うように断面コ字状の中空形状となる空気層を形成したので、この空気層により外枠部材の断熱性を向上させることができる。
【００２３】
これにより、格別なヒータなどを取り付けること無く、外枠部材への結露を防止若しくは抑制することができるようになり、構造の簡素化による故障の抑制と生産コストの低減を実現し、且つ、省エネルギーにも寄与できるものである。
また、請求項２の発明によれば、上記に加えてそれぞれ別体の上辺部材、下辺部材、左辺部材及び右辺部材を枠状に組み立てることにより外枠部材を構成したので、各辺部材が別体の状態で扉を外枠部材に嵌め込むことが可能となり、外枠部材への扉の組み込みも容易となる。
【００２４】
特に、各辺部材を合成樹脂の押出成形により中空状に成形したので、外枠部材の生産性と断熱性を一段と向上させることができるようになるものである。
【図面の簡単な説明】
【図１】本発明の扉装置を備えた低温庫の実施例としての業務用冷蔵庫の正面図である。
【図２】業務用冷蔵庫の側面図である。
【図３】図１のＡ−Ａ線断面図である。
【図４】図３の円Ｃ部分の拡大図である。
【図５】図３の円Ｄ部分の拡大図である。
【図６】図１のＢ−Ｂ線断面図である。
【図７】図６の円Ｅ部分の拡大図である。
【図８】図６の円Ｆ部分の拡大図である。
【符号の説明】
１０  扉装置
１１  業務用冷蔵庫
１２  本体
１６  扉
１７  扉
１８  外枠部材
１９  上辺部材
１９Ａ  空気層
２０  下辺部材
２０Ａ  空気層
２１  左辺部材
２１Ａ  空気層
２２  右辺部材
２２Ａ  空気層
【図１】
0003748958.tif 000002
【図２】
0003748958.tif 000003
【図３】
0003748958.tif 000004
【図４】
0003748958.tif 000005
【図５】
0003748958.tif 000006
【図６】
0003748958.tif 000007
【図７】
0003748958.tif 000008
【図８】
0003748958.tif 000009